(57)【要約】【課題】設置姿勢を変えても使い勝手を維持でき、且つ、小型化に有利な印刷装置を提案すること。【解決手段】ロール紙プリンター１は、キューブ型のプリンターケース２を有しており、プリンターケース２の第３面２３に、非接触の近距離通信を行うＮＦＣ通信部１０が配置されている。ロール紙プリンター１は、ＮＦＣ通信部１０を配置した第３面２３（第１の面）が前面になる第１設置姿勢１Ａ、および、第３面２３が上面になる第２設置姿勢１Ｂで設置可能である。ＮＦＣ通信部１０は、第３面２３（第１の面）と第１面２１（第２の面）とが繋がる角部に配置されている。また、この角部には、表示部９および記録紙排出口３も配置されている。【選択図】図１
2016124226.tif 000002
【特許請求の範囲】
【請求項１】
記録紙に印刷する印刷ヘッドと、
非接触の近距離通信を行う非接触通信部と、
前記印刷ヘッドおよび前記非接触通信部を収容するケースと、を有し、
前記ケースは、
前記非接触通信部が配置された、第１の面および前記第１の面と繋がる第２の面を備え、
前記第１の面が前面で前記第２の面が上面である第１設置姿勢、および、前記第１の面が上面で前記第２の面が前面である第２設置姿勢で設置可能であることを特徴とする印刷装置。
【請求項２】
前記第１の面と前記第２の面とが繋がる角部に、前記非接触通信部が配置されていることを特徴とする請求項１に記載の印刷装置。
【請求項３】
外部端末機器と非接触の近距離通信を行うために、前記非接触通信部が配置されている場所を示す表示が前記第１の面または前記第２の面になされていることを特徴とする請求項２に記載の印刷装置。
【請求項４】
前記非接触通信部で取得した情報に基づき、前記印刷ヘッドを制御する制御部を構成する基板を有し、
前記基板は、前記第１の面に沿って配置されていることを特徴とする請求項１ないし３のいずれかの項に記載の印刷装置。
【請求項５】
前記第２の面に、前記記録紙を排出する記録紙排出口が形成され、
前記基板を前記記録紙排出口の側から覆う防水部材を有することを特徴とする請求項４に記載の印刷装置。
【請求項６】
前記基板に沿って配置された板金部材を有し、前記板金部材は前記非接触通信部と少なくとも所定の距離以上離れていることを特徴とする請求項４または５に記載の印刷装置。
【請求項７】
前記第１の面と前記第２の面とが繋がる角部に配置された表示部と、前記第１の面または前記第２の面に配置された開閉蓋と、の一方または両方を有することを特徴とする請求項１ないし６のいずれかの項に記載の印刷装置。
【請求項８】
前記記録紙を搬送する搬送機構、および、当該搬送機構の駆動源である搬送モーターと、
前記記録紙を切断するカッター機構、および、当該カッター機構の駆動源であるカッターモーターと、
前記記録紙をロール状に巻いたロール紙が収納されるロール紙ホルダーと、を有し、
前記搬送モーターおよび前記カッターモーターは、前記ロール紙ホルダーに対して同じ側に配置されていることを特徴とする請求項１ないし７のいずれかの項に記載の印刷装置。
【請求項９】
前記ロール紙ホルダー内で前記ロール紙が転動する方向を転動方向とするとき、
前記搬送モーターおよび前記カッターモーターは、前記ロール紙ホルダーに対して、前記転動方向と直交する方向で同じ側に配置されていることを特徴とする請求項８に記載の印刷装置。
【請求項１０】
外部の配線に接続された外部コネクターを接続可能な装置側コネクターを有し、
前記ケースは、
前記外部コネクターを収容可能なコネクター収容部を備え、
前記コネクター収容部に面して、前記装置側コネクターが配置されていることを特徴とする請求項１ないし９のいずれかの項に記載の印刷装置。
【発明の詳細な説明】
【技術分野】
【０００１】
本発明は、縦置きと横置きなどの複数の姿勢で設置可能な印刷装置に関する。
【背景技術】
【０００２】
従来から、長尺の記録紙を巻いたロール紙をロール紙ホルダーに装填し、ロール紙から記録紙を引き出して印刷するロール紙プリンターなどの印刷装置が用いられている。この種の印刷装置で、設置場所に制約があるなどの理由により、縦置きと横置きの２種類の設置姿勢で設置できるように構成したものがある。例えば、特許文献１のロール紙プリンター（印刷装置）は、水平な台の上に横置きする姿勢と、鉛直な壁面に設置する姿勢の２種類の姿勢で設置できる。壁面に設置する場合は、水平に設置した場合に背面になる面を下向きにして設置する。また、特許文献２には、縦置きと横置きが可能なファクシミリ装置（印刷装置）が開示されている。
【０００３】
縦置きと横置きを可能にした印刷装置では、その姿勢（置き方）により、ユーザーに対する印刷装置の各部の位置関係や動作方向が変化する。また、鉛直方向に対する各部の位置関係や動作方向も変化する。その結果、使い勝手が悪化するおそれがある。また、装置内部でロール紙の保持位置や紙経路が変化する場合があり、記録紙の供給動作や記録紙の検出に不都合が生じるおそれがある。特許文献１のロール紙プリンターでは、ロール紙の保持位置が変化することに対応するため、ロール紙ホルダーの２箇所にロール紙を保持する窪みを設けている。更に、ロール紙を検出する検出器の取り付け位置を２箇所に設けており、設置姿勢に合わせて取り付け位置を変更することが可能である。また、特許文献２のファクシミリ装置は、設置姿勢が変化すると表示部の向きがユーザーに対して逆向きになってしまうことを考慮して、表示部への表示内容を逆向きにする制御を行ったり、表示部を逆向きに取り付けることを可能にしている。
【先行技術文献】
【特許文献】
【０００４】
【特許文献１】特開平９−２９５４３６号公報
【特許文献２】特開平６−２３３０１８号公報
【発明の概要】
【発明が解決しようとする課題】
【０００５】
印刷装置に情報を入力する手段として、ユーザーが持つ携帯端末等から非接触で情報を読み取る非接触通信部を搭載したいという要望がある。しかしながら、このような非接触通信部を印刷装置に搭載した場合、設置姿勢を変えると、通信部の位置がユーザーから遠くなって使い勝手が悪くなるおそれがある。また、設置姿勢を変えると使い勝手が悪くなる構成は、非接触通信部以外にもあり、例えば、記録紙を排出する排出口、表示部、ロール紙を投入する投入口を開閉する開閉蓋などの位置も、同様の問題が生じる。
【０００６】
ここで、特許文献１、２では、設置姿勢を変えた場合に生じる不都合を解消するために、ロール紙を保持する窪みを複数設けたり、検出器を取り付け可能な位置を２箇所に確保したり、表示部の向きを変えて取り付け可能にするなどの構成を備えている。しかしながら、このように、設置姿勢が変わることに対応するために予備の構成を追加すると、装置が大型化してしまうという問題点があった。
【０００７】
本発明の課題は、このような点に鑑みて、設置姿勢を変えても使い勝手を維持でき、且つ、小型化に有利な印刷装置を提案することにある。
【課題を解決するための手段】
【０００８】
上記の課題を解決するために、本発明は、記録紙に印刷する印刷ヘッドと、非接触の近距離通信を行う非接触通信部と、前記印刷ヘッドおよび前記非接触通信部を収容するケースと、を有し、前記ケースは、前記非接触通信部が配置された、第１の面および前記第１の面と繋がる第２の面を備え、前記第１の面が前面で前記第２の面が上面である第１設置姿勢、および、前記第１の面が上面で前記第２の面が前面である第２設置姿勢で設置可能であることを特徴とする。
【０００９】
本発明では、このように、非接触の近距離通信を行う非接触通信部を有しており、非接触通信部を配置した第１の面が前面になる第１設置姿勢、および、前記第１の面が上面になる第２設置姿勢で設置可能である。従って、第１設置姿勢と第２設置姿勢のどちらの姿勢でも、ユーザーからアクセスしやすい位置に非接触通信部を配置できる。また、使い勝手を確保するために、予備の非接触通信部や、非接触通信部の位置を変更する手段を設ける必要がない。従って、小型化に有利である。
【００１０】
本発明において、前記第１の面と前記第２の面とが繋がる角部に、前記非接触通信部が配置されていることが望ましい。このようにすると、いずれの設置姿勢でも、前面と上面とが繋がる角部に非接触通信部が配置され、設置姿勢を変えても非接触通信部の位置がほとんど変化しない。従って、使い勝手が変わらない。また、上面と前面が繋がる角部に非接触通信部を配置すると、ユーザーが持つ端末との近距離通信を行うのに便利である。
【００１１】
本発明において、外部端末機器と非接触の近距離通信を行うために、前記非接触通信部が配置されている場所を示す表示が前記第１の面または前記第２の面になされていることが望ましい。このようにすると、外部端末機器を近づけるべき位置をユーザーが一目で認識できる。従って、利便性が高い。
【００１２】
本発明において、前記非接触通信部で取得した情報に基づき、前記印刷ヘッドを制御する制御部を構成する基板を有し、前記基板は、前記第１の面に沿って配置されていることが望ましい。このようにすると、印刷機構や搬送機構、ロール紙収納部などを備えるプリンター機構部とケースとの隙間を利用して基板を配置できる。従って、スペース効率が良く、小型化に有利である。また、非接触通信部と基板とを近くに配置しているため、非接触通信部と基板との接続が容易である。
【００１３】
本発明において、前記第２の面に、前記記録紙を排出する記録紙排出口が形成され、前記基板を前記記録紙排出口の側から覆う防水部材を有することが望ましい。このようにすると、記録紙排出口から水などの液体が流入したとしても、液体が基板に接触して不具合が発生することを回避できる。
【００１４】
この場合に、前記基板に沿って配置された板金部材を有し、前記板金部材は前記非接触通信部と少なくとも所定の距離以上離れていることが望ましい。このようにすると、基板の近傍で静電気が発生した場合に、板金部材によって静電気を逃がすことができる。従って、静電気によって、基板に搭載した制御素子に不具合が発生することを回避できる。また、板金部材を非接触通信部から離すことによって、外部端末機器を非接触通信部に近づけたときに板金部材によって安定した非接触通信が妨げられることを回避できる。
【００１５】
本発明において、前記第１の面と前記第２の面とが繋がる角部に配置された表示部と、前記第１の面または前記第２の面に配置された開閉蓋と、の一方または両方を有することが望ましい。このようにすると、非接触通信部だけでなく、表示部や開閉蓋についても、設置姿勢にかかわらず、ユーザーからアクセスしやすい位置に配置することができる。
【００１６】
本発明において、前記記録紙を搬送する搬送機構、および、当該搬送機構の駆動源である搬送モーターと、前記記録紙を切断するカッター機構、および、当該カッター機構の駆動源であるカッターモーターと、前記記録紙をロール状に巻いたロール紙が収納されるロール紙ホルダーと、を有し、前記搬送モーターおよび前記カッターモーターは、前記ロール紙ホルダーに対して同じ側に配置されていることが望ましい。例えば、前記ロール紙ホルダー内で前記ロール紙が転動する方向を転動方向とするとき、前記搬送モーターおよび前記カッターモーターは、前記ロール紙ホルダーに対して、前記転動方向と直交する方向で同じ側に配置されていることが望ましい。このようにすると、プリンターケース内でロール紙ホルダーを配置した残りの空きスペースに、搬送モーターとカッターモーターなどの駆動部を集約して配置できる。従って、スペース効率が良い配置となり、プリンター機構部をコンパクトにすることができる。よって、小型化に有利である。また、転動方向に長いロール紙ホルダーの幅方向（転動方向と直交する方向）の隣にできた空きスペースに、搬送モーターとカッターモーターなどの駆動部を集約して配置すれば、プリンターを全体としてキューブ型にする場合にスペース効率が良い配置となる。
【００１７】
本発明において、外部の配線に接続された外部コネクターを接続可能な装置側コネクターを有し、前記ケースは、前記外部コネクターを収容可能なコネクター収容部を備え、前記コネクター収容部に面して、前記装置側コネクターが配置されていることが望ましい。このようにすると、装置側コネクターと接続した状態の外部コネクターを全て、ケース内に納めることができる。従って、ケース外にコネクター同士の接続部を置くスペースを確保する必要がなく、設置時の外観性も良い。また、外部コネクターと装置側コネクターとの接続部に不用意に接触して不具合を発生させることを回避できる。
【図面の簡単な説明】
【００１８】
【図１】本発明を適用したロール紙プリンターを示す外観斜視図およびそのプリンターケースを取り外した状態を示す斜視図（第１設置姿勢）である。
【図２】本発明を適用したロール紙プリンターを示す外観斜視図およびそのプリンターケースを取り外した状態を示す斜視図（第２設置姿勢）である。
【図３】ロール紙プリンターの内部構造を示す縦断面図（開閉蓋を閉じた状態）である。
【図４】ロール紙プリンターの内部構造を示す縦断面図（開閉蓋を開けた状態）である。
【図５】プリンターケースを取り外した内部機構を第１面と平行な面で切断した状態を示す斜視図である。
【図６】底面側および背面側から見たロール紙プリンターの斜視図、および、底面と背面を構成するプリンターケースの部分を取り外した状態の斜視図である。
【発明を実施するための形態】
【００１９】
以下に、図面を参照して、本発明をロール紙プリンターに適用した実施の形態を説明する。
【００２０】
（全体構成）
図１、２は本発明を適用したロール紙プリンターを示す外観斜視図およびそのプリンターケースを取り外した状態を示す斜視図であり、図１（ａ）、図２（ａ）は外観斜視図、図１（ｂ）、図２（ｂ）はプリンターケースを取り外した状態を示している。以下、本明細書において、相互に直交する３方向をＸ方向、Ｙ方向、Ｚ方向とする。図１、図２に示すＸＹＺの３方向は、矢印の向きが＋方向（正方向）、矢印の向きとは逆向きが−方向（負方向）を示す。ロール紙プリンター１（印刷装置）は、その使用状態において、水平な平面であるＸＹ面に配置される。ロール紙プリンター１は、長尺の記録紙１１（図３、４参照）をロール状に巻いたロール紙１２（図３、４参照）を装填して、ロール紙１２から繰り出した記録紙１１に印刷する。
【００２１】
ロール紙プリンター１は、全体として直方体形状をしたプリンターケース２を備える。プリンターケース２は、記録紙排出口３が形成された第１面２１（第２の面）を備える。図１（ａ）に示す設置状態では、第１面２１は上方（＋Ｚ方向）を向いており、記録紙排出口３は、第１面２１の前端側（＋Ｙ方向側）の縁に位置する。このように、記録紙排出口３がプリンターケース２の上面の前端側（ユーザーから見て手前側）に位置するように設置する姿勢が、ロール紙プリンター１の第１設置姿勢１Ａである。プリンターケース２は、第１設置姿勢１Ａで底面（−Ｚ方向の面）を構成する第２面２２と、第１設置姿勢１Ａで正面（＋Ｙ方向の面）を構成する第３面２３（第１の面）と、第１設置姿勢１Ａで背面（−Ｙ方向の面）を構成する第４面２４と、第１設置姿勢１Ａで幅方向の一方の面（＋Ｘ方向の面）を構成する第５面２５と、第１設置姿勢１Ａで幅方向の他方の面（−Ｘ方向の面）を構成する第６面２６を備える。
【００２２】
一方、図２（ａ）に示す設置状態では、ロール紙プリンター１の第１面２１は前方（＋Ｙ方向）を向いており、記録紙排出口３はロール紙プリンター１の前面に配置される。この姿勢が、ロール紙プリンター１の第２設置姿勢１Ｂである。第２設置姿勢１Ｂでは、第２面２２は背面（−Ｙ方向の面）を構成し、第３面２３は上面（＋Ｚ方向の面）を構成し、第４面２４は底面（−Ｚ方向の面）を構成する。第５面２５と第６面２６は、第１設置姿勢１Ａと同様に、幅方向の一方の面（＋Ｘ方向の面）、および幅方向の他方の面（−Ｘ方向の面）を構成する。
【００２３】
以下、ロール紙プリンター１が図１（ａ）に示す第１設置姿勢１Ａで設置されているものとして、ロール紙プリンター１の第１面２１（第２の面）と第３面２３（第１の面）の構成を説明する。
【００２４】
プリンターケース２の第１面２１には、ロール紙１２の出し入れ等を行う矩形のロール紙投入口４が形成されている。第１面２１は、ロール紙投入口４を塞ぐ開閉蓋５と、ロール紙投入口４の＋Ｙ方向の縁に沿って延在する前端部６を備える。開閉蓋５は、図３に示す閉位置５Ａと、その後端（−Ｙ方向の端部）を中心として上方（＋Ｚ方向）に立ち上がった開位置５Ｂ（図４参照）に移動可能である。開閉蓋５が閉位置５Ａにある状態で、開閉蓋５と前端部６との間に、Ｘ方向に延在するスリット状の記録紙排出口３が形成される。開閉蓋５は、記録紙排出口３の幅方向の一方側（＋Ｘ方向側）に位置する開閉レバー７を備える。開閉レバー７に指を掛けて上方に引くと、不図示のロックが解除される。これにより、開閉蓋５を上方に開けることが可能になる。
【００２５】
開閉蓋５の後方側（−Ｙ方向側）の角部には、電源スイッチ等の操作部８が設けられている。また、第１面２１の前端部６は、斜め上向き前方に傾斜する傾斜面（＋Ｙ方向および＋Ｚ方向を向く傾斜面）を備えており、この傾斜面に表示部９が設けられている。表示部９は、ロール紙プリンター１の動作状態などの各種の表示を行う。表示部９は、第１面２１と繋がる第３面２３の上端部分に沿って延在する。第３面２３の上端部分には、その幅方向の一方側（＋Ｘ方向側）に、ＮＦＣ通信部１０（非接触通信部）が配置されている。ＮＦＣ通信部１０は、ユーザーが持つ携帯端末等に搭載されたＮＦＣチップから非接触の近距離通信で情報を読み取るユニットであり、ＮＦＣ（Ｎｅａｒ  Ｆｉｅｌｄ  Ｃｏｍｍｕｎｉｃａｔｉｏｎ）の規格に準拠した近距離無線通信が可能である。ロール紙プリンター１は、ＮＦＣ通信部１０を介して非接触の近距離通信で得た情報に基づき、印刷を行うことができる。
【００２６】
ロール紙プリンター１は、図１（ａ）に示す第１設置姿勢１Ａで設置すると、記録紙排出口３、表示部９、およびＮＦＣ通信部１０の全てが、装置上面（第１面２１）と装置前面（第３面２３）とが繋がる角部に集約される。つまり、ユーザーから見て手前側でアクセスが容易な位置に、記録紙排出口３、表示部９、およびＮＦＣ通信部１０の全てが集約されて配置される。また、図２（ａ）に示す第２設置姿勢１Ｂで設置した場合も、記録紙排出口３、表示部９、およびＮＦＣ通信部１０の全てが、装置上面（第３面２３）と装置前面（第１面２１）とが繋がる角部に集約される。図１（ａ）に示す第１設置姿勢１Ａは、記録紙排出口３を備える第１面２１が装置上面となり、印刷済みの記録紙１１を装置上面から上方（＋Ｚ方向）に排出することができる姿勢である。一方、図２（ａ）に示す第２設置姿勢１Ｂは、記録紙排出口３を備える第１面２１が装置前面となり、印刷済みの記録紙１１を装置前面から前方（＋Ｙ方向）に排出することができる姿勢である。このように、ロール紙プリンター１は、設置場所の環境に応じて、記録紙１１の取り出し方向を、上方と前方の２つの方向にすることができる。そして、どちらの姿勢で設置しても、操作時の利便性を損なわない構成になっている。
【００２７】
図１（ｂ）、図２（ｂ）に示すように、ＮＦＣ通信部１０は、円形のアンテナ面を第３面２３と同じ側に向けて配置されている。図１（ａ）、図２（ａ）では、ＮＦＣ通信部１０が配置されている第３面２３の領域を破線で示しているが、外部端末機器と非接触の近距離通信を行うために、ＮＦＣ通信部１０がこの位置にあることを示す表示を第３面２３に行うことが望ましい。例えば、図形や文字等で、ＮＦＣ通信部１０がこの位置にあることを示す表示を行うことが望ましい。あるいは、非接触通信のために外部端末機器をこの位置に近づけることを促す表示を行うことが望ましい。また、第１面２１にこのような表示を行ってもよい。
【００２８】
また、図１（ａ）に示す第１設置姿勢１Ａでは、開閉蓋５は、ロール紙プリンター１の上面でその後端を中心として上方（＋Ｚ方向）に開くようになっており、ロール紙投入口４は上方に向けて開口する。従って、ロール紙１２の交換作業は、上方からロール紙１２を取り出し、上方からロール紙１２を投入して行う。一方、図２（ａ）に示す第２設置姿勢１Ｂでは、開閉蓋５は、ロール紙プリンター１の前面で下端を中心として前方（＋Ｙ方向）に開く。そして、ロール紙投入口４は前方に向けて開口する。従って、ロール紙１２の交換作業は、前方からロール紙１２を取り出し、前方からロール紙１２を投入して行う。従って、どちらの姿勢で設置しても、ロール紙１２の交換作業を容易に行うことが可能である。
【００２９】
（内部構造）
図３、図４はロール紙プリンター１の内部構造を示す縦断面図である。図３は開閉蓋５を閉じた状態であり、図４は開閉蓋５を開けた状態である。図３、図４は、第１設置姿勢１Ａで設置した状態を示す。以下、図３、図４に基づき、第１設置姿勢１Ａで設置されている場合のロール紙プリンター１の内部構造を説明する。プリンターケース２の内部には、記録紙排出口３の近傍で記録紙１１を切断するカッター機構３０が配置されている。また、カッター機構３０の下側には、プラテンローラー３１（搬送ローラー）および印刷ヘッド３２が配置されている。プラテンローラー３１は、開閉蓋５を裏側（−Ｚ方向側）から支持するプラテン支持フレーム３３に搭載される。開閉蓋５、カッター機構３０、プラテンローラー３１等の機構は、プラテン支持フレーム３３と一体になって開閉される開閉蓋ユニット３４を構成する。図３に示すように、開閉蓋ユニット３４が閉位置３４Ａに位置するとき、開閉蓋５は閉位置５Ａに位置する。また、図４に示すように、開閉蓋ユニット３４が開位置３４Ｂに位置するとき、開閉蓋５は開位置５Ｂに位置する。
【００３０】
開閉蓋ユニット３４の下側には、ロール紙収納部４０が配置されている。ロール紙収納部４０は、ロール紙１２を収容するロール紙ホルダー４１を備える。ロール紙ホルダー４１は、Ｙ方向の中央部が−Ｚ方向に凹んでおり、第１面２１に形成されたロール紙投入口４に面する。図４に示すように開閉蓋ユニット３４を開けると、ロール紙投入口４からロール紙ホルダー４１にロール紙１２を出し入れ可能となる。投入されたロール紙１２は、ロール紙ホルダー４１の底部に転動可能な状態で載って保持される。
【００３１】
図３、図４に示すように、第１設置姿勢１Ａでは、ロール紙ホルダー４１の前端（＋Ｙ方向の端部）は上方（＋Ｚ方向）に立ち上がっており、その上端の近傍に、従動ローラーである繰り出しローラー３５が配置されている。ロール紙１２から繰り出された記録紙１１は、繰り出しローラー３５に掛けられた後、プラテン支持フレーム３３の下端に設けられた紙案内部３６に掛け渡され、プラテンローラー３１と印刷ヘッド３２の間を通るようにセットされる。記録紙１１は、プラテンローラー３１の搬送力によって搬送され、カッター機構３０の可動刃と固定刃の間を経由して、記録紙排出口３からプリンターケース２の上方に排出される。紙案内部３６は斜め下向きに突出しているので、繰り出しローラー３５と紙案内部３６を経由する搬送経路は、上側に凸となる形状に湾曲している。この湾曲経路に沿った位置に、紙検出レバー３７が配置されている。紙検出レバー３７は、上向きに凸となるように湾曲した状態で搬送される記録紙１１に下側（湾曲形状の内側）から接触して、記録紙１１を検出する。
【００３２】
（基板の配置）
ロール紙プリンター１は、プリンターケース２の第３面２３の裏側（内側）に搭載された基板６０を備える。この基板６０には、各種の制御素子が搭載されている。基板６０上に配置された制御素子や回路等によって、ロール紙プリンター１の各部を制御する制御部６１が構成されている。基板６０の一端は、第３面２３と第２面２２とが繋がる角部の近傍まで延在している。また、基板６０の他端は、第３面２３と第１面２１とが繋がる角部から所定寸法離れた位置まで延在し、基板６０の他端と、第３面２３と第１面２１とが繋がる角部との間に、ＮＦＣ通信部１０が配置されている。制御部６１は、ＮＦＣ通信部１０を介して、外部の携帯端末等から非接触の近距離通信で情報を取得することができる。
【００３３】
基板６０は、プリンターケース２の第３面２３との間に配置された板金部材６２によって覆われている。また、基板６０は、板金部材６２と逆の側に配置された板金製のフレーム６３に固定されている。これらの板金部材６２やフレーム６３等によって、基板６０の近傍で静電気が発生したとき、静電気を逃がすことができる。従って、基板６０上の制御素子や回路に、静電気による故障や不具合が発生することを回避できる。
【００３４】
板金部材６２および板金製のフレーム６３は、ＮＦＣ通信部１０による非接触通信を妨げるおそれのない位置に配置することが望ましい。すなわち、ＮＦＣ通信部１０が発する磁界が、板金部材６２や板金製のフレーム６３に誘導電流を生じさせ、その結果、ＮＦＣ通信部１０が発する磁界が打ち消されて弱められてしまうことのないように、ＮＦＣ通信部１０が発する磁界と交わることのない位置に板金部材６２や板金製のフレーム６３を配置することが望ましい。具体的には、ＮＦＣ通信部１０から所定の距離以上離して板金部材６２や板金製のフレーム６３を配置することが望ましい。
【００３５】
図３、図４に示すように、基板６０は、フレーム６３と同じ側から防水シート６４（防水部材）によって覆われている。防水シート６４は、基板６０におけるＮＦＣ通信部１０側の端縁を覆うように掛けられて、その一端側が基板６０のフレーム６３側の面を全体として覆い、他端側が基板６０の板金部材６２側の面の一部を覆うように基板６０に被せられている。基板６０に対してＮＦＣ通信部１０と同じ側には、カッター機構３０が位置する。カッター機構３０は、第１面２１に形成された記録紙排出口３の裏側に配置されている。従って、防水シート６４は、記録紙排出口３から水等の液体が流入し、カッター機構３０の固定刃と可動刃の間を通って基板６０側に液体が侵入したとき、基板６０上の制御素子や回路等が液体と接触することを防ぐことができる。よって、液体との接触によって、基板６０上の制御素子や回路等に故障や不具合が発生することを回避できる。
【００３６】
（ロール紙ホルダーと駆動機構の配置）
図５は、プリンターケース２を取り外した内部機構を第１面２１と平行な面で切断した状態を示す斜視図であり、図１、図３、図４と同様に第１設置姿勢１Ａで設置した状態を示す。この図に示すように、プリンターケース２の第３面２３、第４面２４、第６面２６の内側面に沿って板金等によって構成されるフレームが配置され、このフレームに囲まれた空間にロール紙ホルダー４１が配置されている。ロール紙ホルダー４１は、第３面２３から第４面２４へ向かう方向（図５のＹ方向）が、ロール紙ホルダー４１内でロール紙１２が転動する方向となるように配置されている。ロール紙プリンター１は、ロール紙１２の転動方向Ｒと直交する方向（図５のＸ方向）が、ユーザーから見たロール紙プリンター１の幅方向となるように設置される。
【００３７】
ロール紙ホルダー４１は、プリンターケース２内の幅方向（転動方向Ｒと直交する方向：Ｘ方向）の一方側（−Ｘ方向：第６面２６の側）に配置されている。ロール紙ホルダー４１と第５面２５との間には、ロール紙プリンター１が備える各種の駆動機構を集約配置する駆動機構配置空間６５が設けられている。駆動機構配置空間６５は、ロール紙ホルダー４１と第５面２５との間で、第３面２３の裏側に配置された基板６０から第４面２４の裏側まで拡がる空間である。
【００３８】
ロール紙プリンター１は、記録紙１１を搬送する搬送機構７０と、搬送機構７０の駆動源である搬送モーター７１を備える。搬送機構７０は、記録紙１１を搬送するプラテンローラー３１と、搬送モーター７１の駆動力をプラテンローラー３１に伝達する輪列などのローラー駆動機構７２を備える。搬送モーター７１と、ローラー駆動機構７２の一部は、駆動機構配置空間６５の内部で基板６０側の領域に配置されている。また、ロール紙プリンター１のカッター機構３０は、記録紙排出口３の裏側に配置された可動刃および固定刃と、可動刃を動かす駆動源となるカッターモーター７３と、カッターモーター７３の駆動力を可動刃に伝達する輪列やカムなど可動刃駆動機構７４を備える。カッターモーター７３と、可動刃駆動機構７４の一部は、駆動機構配置空間６５の内部で第４面２４寄りの領域に配置されている。
【００３９】
（コネクター収容部）
図６（ａ）は、底面側および背面側から見たロール紙プリンター１の斜視図であり、図６（ｂ）は、底面と背面を構成するプリンターケース２の部分を取り外した状態の斜視図である。この図に示すように、プリンターケース２の第２面２２には、第１カバー８０と、第１カバー８０によって塞がれる第１開口部８１が形成されている。また、プリンターケース２の第４面２４には、第２カバー８２と、第２カバー８２によって塞がれる第２開口部８３が形成されている。第２面２２と第４面２４は繋がっており、第１開口部８１と第２開口部８３も繋がっている。
【００４０】
図３、図４に示すように、第２面２２の内側には、上述したロール紙ホルダー４１や駆動機構等を支持する支持フレーム６６が配置されている。支持フレーム６６は、第２面２２から第１面２１の側に所定の寸法だけ後退した位置に配置されている。第１開口部８１を塞ぐように第１カバー８０を取り付けると、第１カバー８０と支持フレーム６６との間にコネクター収容部６７が形成される。コネクター収容部６７は、第１カバー８０と支持フレーム６６との間の空間である。
【００４１】
第２面２２と第３面２３と繋がる角部には装置側コネクター配置部６８が形成されている。装置側コネクター配置部６８は、コネクター収容部６７に面するコネクター配置面６９を備える。コネクター配置面６９は、第４面２４の側を向く面であり、この面には、配線接続用の複数のコネクター９０（装置側コネクター）が露出する。例えば、電源接続用、ＵＳＢ接続用、ＬＡＮ接続用、などのコネクター９０の端子が露出する。これらのコネクター９０は、それぞれ、外部の機器や電源ユニット等に接続されたケーブルに設けられた外部コネクター９１を接続可能である。
【００４２】
第２カバー８２は、矩形の平面部８２ａと、平面部８２ａにおける第１カバー８０と繋がる側の端辺から立ち上がる第１縁部分８２ｂと、第１縁部分８２ｂが形成された端辺と繋がる２つの端辺から立ち上がる第２縁部分８２ｃおよび第３縁部分８２ｄを備える。第１縁部分８２ｂには、その中央を所定の幅で切り欠いた凹部８４が形成されている。また、第２縁部分８２ｃと第３縁部分８２ｄには、それぞれ、第１縁部分８２ｂと繋がる部分を切り欠いた凹部８５Ａ、８５Ｂが形成されている。第１カバー８０を第１開口部８１に取り付け、第２カバー８２を第２開口部８３に取り付けると、第２カバー８２の凹部８５Ａが、第５面２５の角部に形成された凹部８６Ａに繋がって配線穴８７Ａを形成する。同様に、第２カバー８２の凹部８５Ｂが、第６面２６の角部に形成された凹部８６Ｂに繋がって配線穴８７Ｂを形成する。そして、第１縁部分８２ｂの中央の凹部８４と第１カバー８０との間に、配線穴８８が形成される。配線穴８７Ａ、８７Ｂ、８８は、コネクター収容部６７に連通する穴である。従って、コネクター収容部６７内でコネクター配置面６９のコネクター９０に接続された外部コネクター９１のケーブルを、配線穴８７Ａ、８７Ｂ、８８から外部に引き出すことができる。
【００４３】
（作用効果）
以上のように、本形態のロール紙プリンター１は、非接触の近距離通信を行うＮＦＣ通信部１０を有しており、ＮＦＣ通信部１０を配置した第３面２３（第１の面）が前面になる第１設置姿勢１Ａ、および、第３面２３が上面になる第２設置姿勢１Ｂで設置可能である。従って、第１設置姿勢１Ａと第２設置姿勢１Ｂのどちらの姿勢でも、ユーザーからアクセスしやすい位置にＮＦＣ通信部１０を配置できる。また、使い勝手を確保するために、予備のＮＦＣ通信部１０を設けたり、ＮＦＣ通信部１０の位置を変更する手段を設ける必要がない。従って、小型化に有利である。また、ＮＦＣ通信部１０は、第３面２３（第１の面）と第１面２１（第２の面）とが繋がる角部に配置されているので、設置姿勢を変えてもＮＦＣ通信部１０の位置がほとんど変化しない。従って、使い勝手が変わらない。また、このように、上面と前面が繋がる角部にＮＦＣ通信部１０を配置すると、ユーザーが持つ端末との近距離通信を行うのに便利である。
【００４４】
また、本形態では、ロール紙プリンター１の各部を制御する制御部６１を構成する基板６０が、印刷ヘッド３２やロール紙ホルダー４１等を備えるプリンター機構部と、プリンターケース２の第３面２３との隙間を利用して配置されている。従って、スペース効率が良く、小型化に有利である。また、ＮＦＣ通信部１０と基板６０とを近くに配置しているため、ＮＦＣ通信部１０と基板６０との接続が容易である。
【００４５】
また、本形態では、基板６０を記録紙排出口３の側から防水シート６４で覆っており、更に、基板６０に沿って板金部材６２等が配置されている。従って、記録紙排出口３から流入した液体との接触によって、基板６０上の制御素子や回路等に故障や不具合が発生することを回避できる。また、基板６０上の制御素子や回路に、静電気による故障や不具合が発生することを回避できる。
【００４６】
また、本形態では、搬送機構７０の搬送モーター７１およびローラー駆動機構７２、ならびに、カッター機構３０のカッターモーター７３および可動刃駆動機構７４が、ロール紙ホルダー４１に対して、ロール紙１２の転動方向Ｒと同じで、集約して配置されている従って、プリンターケース２内でロール紙ホルダー４１を配置した残りの空きスペースに、搬送モーター７１およびカッターモーター７３などの大型の駆動部構成部品を集約して配置できる。従って、スペース効率が良い配置となり、プリンター機構部をコンパクトにすることができる。よって、小型化に有利である。特に、ロール紙ホルダー４１はロール紙１２の転動方向Ｒに長いため、ロール紙プリンター１を全体としてキューブ型にする場合にスペース効率が良い配置となる。
【００４７】
また、本形態では、プリンターケース２の第２面２２の内側に、外部コネクター９１を収容可能なコネクター収容部６７が形成され、ここに装置側コネクター配置部６８が形成されている。従って、装置側のコネクター９０と接続した状態の外部コネクター９１を全て、コネクター収容部６７に納めることができる。よって、プリンターケース２外にコネクター同士の接続部を置くスペースを確保する必要がなく、設置時の外観性も良い。また、外部コネクター９１と装置側のコネクター９０との接続部に不用意に接触して不具合を発生させることを回避できる。
【符号の説明】
【００４８】
１…ロール紙プリンター（印刷装置）、１Ａ…第１設置姿勢、１Ｂ…第２設置姿勢、２…プリンターケース、３…記録紙排出口、４…ロール紙投入口、５…開閉蓋、５Ａ…閉位置、５Ｂ…開位置、６…前端部、７…開閉レバー、８…操作部、９…表示部、１０…ＮＦＣ通信部（非接触通信部）、１１…記録紙、１２…ロール紙、２１…第１面（第２の面）、２２…第２面、２３…第３面（第１の面）、２４…第４面、２５…第５面、２６…第６面、３０…カッター機構、３１…プラテンローラー、３２…印刷ヘッド、３３…プラテン支持フレーム、３４…開閉蓋ユニット、３４Ａ…閉位置、３４Ｂ…開位置、３５…繰り出しローラー、３６…紙案内部、３７…紙検出レバー、４０…ロール紙収納部、４１…ロール紙ホルダー、６０…基板、６１…制御部、６２…板金部材、６３…フレーム、６４…防水シート（防水部材）、６５…駆動機構配置空間、６６…支持フレーム、６７…コネクター収容部、６８…装置側コネクター配置部、６９…コネクター配置面、７０…搬送機構、７１…搬送モーター、７２…ローラー駆動機構、７３…カッターモーター、７４…可動刃駆動機構、８０…第１カバー、８１…第１開口部、８２…第２カバー、８２ａ…平面部、８２ｂ…第１縁部分、８２ｃ…第２縁部分、８２ｄ…第３縁部分、８３…第２開口部、８４…凹部、８５Ａ、８５Ｂ…凹部、８６Ａ、８６Ｂ…凹部、８７Ａ、８７Ｂ…配線穴、８８…配線穴、９０…コネクター（装置側コネクター）、９１…外部コネクター、Ｒ…転動方向
【図１】
2016124226.tif 000003
【図２】
2016124226.tif 000004
【図３】
2016124226.tif 000005
【図４】
2016124226.tif 000006
【図５】
2016124226.tif 000007
【図６】
2016124226.tif 000008